(57)【要約】      （修正有）【課題】簡単な構造で、缶ビール等の丸缶を複数個収納して商品を販売する際の収納容器として使用可能であり、一般家庭の冷蔵庫に収納して商品を１個づつ取り出すことができるディスペンサーとしても使用可能な収納容器を提供する。【解決手段】複数の円筒形の収納物を横に倒した状態で並べて収納可能な直方体形状の収納容器１であって、底面板２、右側面板３、天面板４、左側面板５、前面板６、後面板７を有し、収納容器の後方を上昇させて底面板に勾配を設けるための勾配作成手段９を有し、前面板は底面板から折罫線を介して延設され、収納物を取出すための開口フラップ６Ｆを形成したことを特徴とする。【選択図】図３
0003219194.tif 000002
【実用新案登録請求の範囲】
【請求項１】
複数の円筒形の収納物を横に倒した状態で並べて収納可能な直方体形状の収納容器であって、底面板、右側面板、天面板、左側面板、前面板、後面板を有し、収納容器の後方を上昇させて底面板に勾配を設けるための勾配作成手段を有し、前面板は底面板から折罫線を介して延設され、収納物を取出すための開口フラップを形成したことを特徴とする収納容器。
【請求項２】
前記勾配作成手段は、底面板から折罫線を介して延設され、後面板に係止された外フラップを、該折罫線で底面側に折り返して、先端を底面板に設けられた係止切り込みに係止させることにより形成されるものであることを特徴とする請求項１に記載の収納容器。
【請求項３】
前記開口フラップを開いた時に、開口フラップが水平状態にまで開かないようにするための開口フラップ係止手段を備えたことを特徴とする請求項１または２に記載の収納容器。
【請求項４】
前記開口フラップ係止手段は、前面板から折罫線を介して延設された差込フラップを該折罫線で逆方向に折り返して、前面板に設けられた係止切り込みに係止させることにより形成されるものであることを特徴とする請求項３に記載の収納容器。
【請求項５】
天面板の、前面板に接する部分に設けた切り取り線によって天面板の一部を切り取ることにより、収納物を取り出し易くするための切り欠き窓を形成することが出来るようにしたことを特徴とする請求項１〜４のいずれか１項に記載の収納容器。
【請求項６】
天面板の中央部に、収納物の残数を目視可能な天窓を有することを特徴とする請求項１〜５のいずれか１項に記載の収納容器。
【請求項７】
収納物の底面が当接する左右いずれかの側面板に、各収納物の底面に記載された賞味期限を目視可能な複数の小窓を有することを特徴とする請求項１〜６のいずれか１項に記載の収納容器。
【考案の詳細な説明】
【技術分野】
【０００１】
本考案は、収納容器に関し、特に缶ビール等円筒形の収納物を収納して１個づつ取り出すことのできる収納容器に関する。
【背景技術】
【０００２】
缶ビール等のように、冷蔵庫で冷やして飲用する飲料缶を、冷蔵庫にばらばらに収納すると、冷蔵庫内で転がったり、棚から落下したりすることがある。また庫内にいくつ入っているか分からず、在庫数を管理し辛いという問題もある。
【０００３】
従来より缶ビール等を複数収納して、１個づつ取り出すことのできる収納用紙箱がいくつか提案されている。特許文献１に記載された丸缶容器用パッケージ兼ディスペンサーは、縦型の紙箱の下部に取出口を設け、丸缶を１個取り出すと、重力の作用によって上から次の缶が降りてくるというものである。
【０００４】
特許文献１に記載されたディスペンサーは、縦型であり、相当の大きさがあるため、業務用の大型冷蔵庫であれば収納可能であるが、一般家庭の冷蔵庫に収納できるものではない。
【０００５】
特許文献２に記載された収納容器は、縦方向に２段の収納部を有し、手前上方から丸缶を投入すると、手前下段の取出口から出てくるものであり、缶詰などの後入れ先出しを防止して、先入れ先出しを可能とした収納容器である。
【０００６】
特許文献２に記載された収納容器は、その使用目的からして２段積みの収納部が不可欠であるため、特許文献１に記載されたディスペンサーと同様に相当の大きさとならざるを得ず、一般家庭の冷蔵庫には収納しにくいものである。また、２段構造において上段の缶の投入口と下段の取り出し口を設けなければならない為、構造が複雑になるばかりでなく、縦に積み上げることができない。従ってこの収納容器を商品販売時の収納容器とすることには困難が伴う。
【先行技術文献】
【特許文献】
【０００７】
【特許文献１】実開平２−１１１６７８号公報
【特許文献２】特開２０１８−２２７８号公報
【考案の概要】
【考案が解決しようとする課題】
【０００８】
本考案の解決しようとする課題は、簡単な構造であって、缶ビール等の丸缶を複数個収納して商品を販売する際の収納容器として使用可能であり、一般家庭の冷蔵庫に収納して商品を１個づつ取り出すことができるディスペンサーとしても使用可能な収納容器を提案するものである。
【課題を解決するための手段】
【０００９】
上記の課題を解決するための手段として、請求項１に記載の考案は、複数の円筒形の収納物を横に倒した状態で並べて収納可能な直方体形状の収納容器であって、底面板、右側面板、天面板、左側面板、前面板、後面板を有し、収納容器の後方を上昇させて底面板に勾配を設けるための勾配作成手段を有し、前面板は底面板から折罫線を介して延設され、収納物を取出すための開口フラップを形成したことを特徴とする収納容器である。
【００１０】
また、請求項２に記載の考案は、前記勾配作成手段が、底面板から折罫線を介して延設され、後面板に係止された外フラップを、該折罫線で底面側に折り返して、先端を底面板に設けられた係止切り込みに係止させることにより形成されるものであることを特徴とする請求項１に記載の収納容器である。
【００１１】
また、請求項３に記載の考案は、前記開口フラップを開いた時に、開口フラップが水平状態にまで開かないようにするための開口フラップ係止手段を備えたことを特徴とする請求項１または２に記載の収納容器である。
【００１２】
また、請求項４に記載の考案は、前記開口フラップ係止手段が、前面板から折罫線を介して延設された差込フラップを該折罫線で逆方向に折り返して、前面板に設けられた係止切り込みに係止させることにより形成されるものであることを特徴とする請求項３に記載の収納容器である。
【００１３】
また、請求項５に記載の考案は、天面板の、前面板に接する部分に設けた切り取り線によって天面板の一部を切り取ることにより、収納物を取り出し易くするための切り欠き窓を形成することが出来るようにしたことを特徴とする請求項１〜４のいずれか１項に記載の収納容器である。
【００１４】
また、請求項６に記載の考案は、天面板の中央部に、収納物の残数を目視可能な天窓を有することを特徴とする請求項１〜５のいずれか１項に記載の収納容器である。
【００１５】
また、請求項７に記載の考案は、収納物の底面が当接する左右いずれかの側面板に、各収納物の底面に記載された賞味期限を目視可能な複数の小窓を有することを特徴とする請求項１〜６のいずれか１項に記載の収納容器である。
【考案の効果】
【００１６】
本考案に係る収納容器は、全体の形状が直方体形状であるため、縦方向にも横方向にも隙間なく積載することが可能であり、収納効率が良好である。また、収納物を水平に収納したので高さが低く、従って一般家庭の冷蔵庫にも容易に収納できる。
【００１７】
本考案に係る収納容器は、収納容器の後方を上昇させて底面板に勾配を設けるための勾配作成手段を有するので、円筒形状の収納物が前面の開口フラップに向かって転がり出し、収納物を１個づつ取出すことができる。
【００１８】
請求項２に記載の考案のように、勾配作成手段が、底面板から折罫線を介して延設され、後面板に係止された外フラップを、該折罫線で底面側に折り返して、先端を底面板に設けられた係止切り込みに係止させることにより形成されるものであると、本体のブランクに組み入れることができるので、製造が容易であり、勾配作成手段として別部材の部品を用意する必要がない。
【００１９】
請求項３に記載の考案のように、開口フラップを開いた時に、開口フラップが水平状態にまで開かないようにするための開口フラップ係止手段を備えた場合には、収納物が不用意に転がり出る惧れがない。
【００２０】
請求項４に記載の考案のように、開口フラップ係止手段が、前面板から折罫線を介して延設された差込フラップを該折罫線で逆方向に折り返して、前面板に設けられた係止切り込みに係止させることにより形成されるものであると、請求項２の場合と同様に本体のブランクに組み入れることができるので、製造が容易であり、開口フラップ係止手段として
別部材の部品を用意する必要がない。
【００２１】
請求項５に記載の考案のように、天面板の、前面板に接する部分に設けた切り取り線によって天面板の一部を切り取ることにより、収納物を取り出し易くするための切り欠き窓を形成することが出来るようにした場合には、収納物の取り出しが容易になる。
【００２２】
請求項６に記載の考案のように、天面板の中央部に、収納物の残数を目視可能な天窓を設けた場合には、収納物の残数が容易に把握できるため、在庫の管理が容易となる。
【００２３】
また請求項７に記載の考案のように、収納物の底面が当接する左右いずれかの側面板に、各収納物の底面に記載された賞味期限を目視可能な複数の小窓を設けた場合には、収納容器を開封することなく、収納物の賞味期限が目視可能であるため、販売時点あるいは購入後における、商品の管理が容易となる。
【図面の簡単な説明】
【００２４】
【図１】図１は、本考案に係る収納容器の一実施形態を示した斜視図である。
【図２】図２は、図１に示した収納容器のブランクを、収納容器の外側面から見た状態を示した平面模式図である。
【図３】図３は、図１に示した収納容器の勾配作成手段と開口フラップ係止手段とを組み立てて、開口フラップを開いた状態を示した斜視図である。
【図４】図４は、図３の状態において、さらに円筒形状の収納物が収納された状態を示した斜視模式図である。
【考案を実施するための形態】
【００２５】
以下図面を参照しながら、本考案に係る収納容器について詳細に説明する。図１は、本考案に係る収納容器１の一実施形態を示した斜視図である。また図２は、図１に示した収納容器のブランク１Ｂを、収納容器の外側面から見た状態を示した平面模式図である。図中、実線は外形線または切り込み線を示し、点線は折罫線を示している。
【００２６】
本考案に係る収納容器１は、複数の円筒形の収納物を横に倒した状態で並べて収納可能な直方体形状の収納容器である。図１に示した例では、４個の収納物を横に１列に並べて収納可能である。収納物の個数や列数には特に制約はない。
【００２７】
収納容器１は、底面板２、右側面板３、天面板４、左側面板５、前面板６、後面板７を有し、収納容器１の後方を上昇させて底面板２に勾配を設けるための勾配作成手段９を有し、前面板６は底面板２から折罫線ｅを介して延設され、収納物を取出すための開口フラップ６Ｆを形成したことを特徴とする。図３は、収納容器１の勾配作成手段９と開口フラップ係止手段１２とを組み立てて、開口フラップ６Ｆを開いた状態を示した斜視図である。
【００２８】
図２に示した例では、底面板２から、折罫線ａを介して糊代８が、折罫線ｂを介して左側面板５が、折罫線ｅを介して前面板６が、折罫線ｆを介して外フラップ１０がそれぞれ連設されている。前面板６からは、折罫線ｊ、ｋを介してサイドフラップ６Ｓが、また折罫線ｍを介して差込フラップ１３がそれぞれ連設されている。
【００２９】
左側面板５からは、折罫線ｃを介して天面板４が、また折罫線ｇを介してフラップ５Ｆ
がそれぞれ連設されている。また天面板４からは、折罫線ｈを介して後面板７が、また折罫線ｄを介して右側面板３がそれぞれ連設されている。右側面板３からは、折罫線ｉを介してフラップ３Ｆが連設されている。
【００３０】
天面板４には、ロック片１９が設けられ、前面板６に設けられたロック片用切り込み２０に係止する。また底面板２と外フラップ１０との間にロック片２１が形成され、後面板７に設けられたロック片用切り込み２２に係止する。
【００３１】
後面板７には、外フラップ１０を係止するための係止切り込み１１ａが、底面板２には、折り返した外フラップ１０を係止するための係止切り込み１１ｂがそれぞれ設けられている。また前面板６には、折り返した差込フラップ１３を係止するための係止切り込み１４が設けられている。
【００３２】
またこの例では、天面板４に、切り欠き窓を作るための切り取り線１５と、収納物を目視可能な天窓１７が設けられている。また右側面板３には、収納物の底面に記載された賞味期限を目視するための小窓１８が設けられている。
【００３３】
勾配作成手段９は、底面板２から折罫線ｆを介して延設され、後面板７の係止切り込み１１ａに係止された外フラップ１０を、図３に示したように、折罫線ｆで底面側に折り返して、先端を底面板２に設けられた係止切り込み１１ｂに係止させることにより形成されるものである。
【００３４】
この例のように、勾配作成手段９が、ブランク中の一部を用いた構造であると、勾配作成手段として、別部材の部品等を準備する必要がなく、製造が容易である。勾配作成手段９としては、この例の他、特に図示しないが、底面板２の後面板７近傍に、切り込みを設け、外側に折ることにより突起状とした構造等でもよい。また、もちろん別部材を取付ける方式でも良い。
【００３５】
開口フラップ６Ｆは、底面板２から折罫線ｅを介して延設された前面板６によって形成されている。この例では開口フラップ６Ｆには、収納物の横方向への落下を防止するためにサイドフラップ６Ｓが設けられている。
【００３６】
開口フラップ６Ｆが、水平まで開いてしまうと、収納物が転がり出る惧れがあるので、この例では、開口フラップ６Ｆが水平状態にまで開かないようにするための開口フラップ係止手段１２を備えており、これは、前面板６から折罫線ｍを介して延設された差込フラップ１３を折罫線ｍで逆方向に折り返して、前面板６に設けられた係止切り込み１４に係止させることにより形成されている。
【００３７】
なおこの例では、サイドフラップ６Ｓの先端部分が徐々に半径が大きくなるようにしてあり、開口フラップ６Ｆを開くにつれて、この先端部分が天面板４に干渉して開口フラップ６Ｆの開き過ぎを抑制する開口フラップ係止手段１２としても働いている。
【００３８】
図４は、図３の状態において、さらに円筒形状の収納物２３が収納された状態を示した斜視模式図である。この図では、天面板４に設けられた切り取り線１５によって天面板の一部を切り取ることにより、収納物２３を取り出し易くするための切り欠き窓１６が形成されている。
【００３９】
本考案に係る収納容器に用いる材料としては、各種厚紙、段ボール等の紙材料に限定されず、プラスチック板、プラスチック段ボール等各種の板材料を用いることができるが、冷蔵庫への収納を考慮して、ある程度耐水性のある材料とすることが望ましい。
【００４０】
本考案に係る収納容器は、特に缶ビール等の、冷蔵庫で冷やして飲用する収納物に適しており、一般家庭の冷蔵庫に収納しやすい形状であり、前面の開口フラップから収納物を１個づつ取出して使用するのに極めて便利である。
【符号の説明】
【００４１】
１・・・収納容器
１Ｂ・・・ブランク
２・・・底面板
３・・・右側面板
３Ｆ、５Ｆ・・・フラップ
４・・・天面板
５・・・左側面板
６・・・前面板
６Ｆ・・・開口フラップ
６Ｓ・・・サイドフラップ
７・・・後面板
８・・・糊代
９・・・勾配作成手段
１０・・・外フラップ
１１ａ、１１ｂ、１４・・・係止切り込み
１２・・・開口フラップ係止手段
１３・・・差込フラップ
１５・・・切り取り線
１６・・・切り欠き窓
１７・・・天窓
１８・・・小窓
１９、２１・・・ロック片
２０、２２・・・ロック片用切り込み
２３・・・収納物
ａ〜ｋ、ｍ・・・折罫線
【図１】
0003219194.tif 000003
【図２】
0003219194.tif 000004
【図３】
0003219194.tif 000005
【図４】
0003219194.tif 000006